(57)【要約】【課題】  この発明は弾性層に低反発弾性材を用いた場合、温度低下によって硬くなった弾性層を利用者の体温で比較的短時間で暖めることができるようにしたマットレス装置を提供することにある。【解決手段】  第１の面と第２の面を有するスプリングユニット１と、このスプリングユニットの第１の面と第２の面とにそれぞれ設けられる弾性層１１，１２と、上記スプリングユニットと各弾性層とを被覆した外装地２１とを具備し、  少なくとも一方の弾性層１１は、板状の低反発弾性材によって形成されるとともに、上記スプリングユニットの一方の面に所定間隔で配置された複数のブロック１４からなる。【選択図】    図３
2004344640.tif 000002
【特許請求の範囲】
【請求項１】
第１の面と第２の面を有するスプリングユニットと、このスプリングユニットの第１の面と第２の面とにそれぞれ設けられる弾性層と、上記スプリングユニットと各弾性層とを被覆した外装地とを具備し、
少なくとも一方の弾性層は、板状の低反発弾性材によって形成されるとともに、上記スプリングユニットの一方の面に所定間隔で配置された複数のブロックからなることを特徴とするマットレス装置。
【請求項２】
少なくとも一方の弾性層は、上記ブロックを保持シートに接着固定して形成されていることを特徴とする請求項１記載のマットレス装置。
【請求項３】
上記ブロックの平面形状は矩形状で、これらブロックは所定の間隔を介して行列状に配置されていることを特徴とする請求項１又は請求項２記載のマットレス装置。
【請求項４】
第１の面と第２の面を有するスプリングユニットと、このスプリングユニットの第１の面と第２の面とにそれぞれ設けられる弾性層と、上記スプリングユニットと各弾性層とを被覆した外装地とを具備し、
少なくとも一方の弾性層は、低反発弾性材によって上記スプリングユニットの面とほぼ同じ大きさに形成された板状体であって、この板状体の一方の面には、この板状体の厚さよりも浅い溝によって複数のブロックが形成されていることを特徴とするマットレス装置。
【請求項５】
第１の面と第２の面を有するスプリングユニットと、このスプリングユニットの第１の面と第２の面とにそれぞれ設けられる弾性層と、上記スプリングユニットと各弾性層とを被覆した外装地とを具備し、
少なくとも一方の弾性層は、一方の板面に格子状の通気溝によって複数の凸部が行列状に形成された第１の保持シートと、この第１の保持シートの一方の板面に重ねられて上記通気溝を覆う第２の保持シートと、この第２の保持シートにそれぞれ一端面を接着固定して設けられた低反発弾性材からなる複数のブロックとによって構成されていることを特徴とするマットレス装置。
【請求項６】
第１の面と第２の面を有するスプリングユニットと、このスプリングユニットの第１の面と第２の面とにそれぞれ設けられる弾性層と、上記スプリングユニットと上記弾性層との外周面に設けられた側部弾性体と、上記スプリングユニット、各弾性層及び側部弾性体の外面を被覆した外装地とを具備し、
少なくとも一方の弾性層は、一方の板面に格子状の通気溝によって複数の凸部が行列状に形成された第１の保持シートと、この第１の保持シートの一方の板面に重ねられて上記通気溝を覆う第２の保持シートと、上記側部弾性体の上端面に一方の板面の周辺部を重ねるとともにその一方の板面にそれぞれ一端面を接着固定して設けられた低反発弾性材からなる複数のブロックとによって構成されていることを特徴とするマットレス装置。
【請求項７】
第１の面と第２の面を有するスプリングユニットと、このスプリングユニットの第１の面と第２の面とにそれぞれ設けられる弾性層と、上記スプリングユニットと上記弾性層との外周面に設けられた側部弾性体と、上記スプリングユニット、各弾性層及び側部弾性体の外面を被覆した外装地とを具備し、
少なくとも一方の弾性層は、一方の板面に格子状の通気溝によって複数の凸部が行列状に形成された下部保持シートと、上記側部弾性体の上端面に一方の板面の周辺部を重ね上記下部保持シートに対して所定間隔で離間して保持された上部保持シートと、この上部保持シートの一方の板面にそれぞれ一端面を接着し他端面を上記下部保持シートの一方の板面に対して離間させて設けられた低反発弾性材からなる複数のブロックとによって構成されていることを特徴とするマットレス装置。
【請求項８】
第１の面と第２の面を有するスプリングユニットと、このスプリングユニットの第１の面と第２の面とにそれぞれ設けられる弾性層と、上記スプリングユニットと上記弾性層との外周面に設けられた側部弾性体と、上記スプリングユニット、各弾性層及び側部弾性体の外面を被覆した外装地とを具備し、
少なくとも一方の弾性層は、上記スプリングユニットに重合される下部保持シートと、低反発弾性材によって形成され上記下部保持シートに一端面を接着して行列状に配置された複数のブロックと、上記側部弾性体の上端面に一方の板面の周辺部を重ねるとともにその一方の面に格子状の連通溝が形成された上部保持シートとによって構成されていることを特徴とするマットレス装置。
【請求項９】
第１の面と第２の面を有するスプリングユニットと、このスプリングユニットの第１の面と第２の面とにそれぞれ設けられる弾性層と、上記スプリングユニットと各弾性層とを被覆した外装地とを具備し、
少なくとも一方の弾性層は、一方の板面を上記スプリングユニットに重ね他方の板面に通気溝が形成された保持シートと、この保持シートの他方の面の上記通気溝を覆う位置に一方の端面を接着して設けられた低反発弾性材からなる複数のブロックとによって構成されていることを特徴とするマットレス装置。
【請求項１０】
第１の面と第２の面を有するスプリングユニットと、このスプリングユニットの第１の面と第２の面とにそれぞれ設けられる弾性層と、上記スプリングユニットと各弾性層とを被覆した外装地とを具備し、
少なくとも一方の弾性層は、一方の板面を上記スプリングユニットの一方の面に対向させて重合され、他方の板面に低反発弾性材によって形成された複数のブロックが下端面を接着固定して所定間隔で配置されるとともに、厚さ方向に貫通する複数の通気孔が隣り合う上記ブロックの間の部分に形成された保持シートを有することを特徴とするマットレス装置。
【発明の詳細な説明】
【技術分野】
【０００１】
この発明はスプリングユニットの一方の面と他方の面とにそれぞれ弾性層が設けられるマットレス装置に関する。
【背景技術】
【０００２】
一般的なマットレス装置の構造は、コイルスプリングなどのばね体を平面形状が矩形状をなすよう配置してスプリングユニットが形成される。このスプリングユニットの上面と下面とにはそれぞれ上部弾性層と下部弾性層とが積層され、これらの積層体を袋状に縫製された外装地によって被覆して構成される。
【０００３】
上記弾性層には、通常、ウレタンフォームが用いられる。ウレタンフォームは荷重に対して弾性的に圧縮変形するから、利用者に柔らかな感触を与えることになる。上記ウレタンフォームが利用者に柔らかな感触を与えるためには、荷重に対して押し潰されることのない弾性力、つまり反発力を持たせなければならない。
【０００４】
しかしながら、ウレタンフォームの弾性力を高くして反発力を持たせると、たとえば利用者の臀部などのように人体の重たい部分に対応する部分は大きな反発力を生じることになるから、その反発力によって利用者に圧迫感が生じるということがある。
【０００５】
そこで、弾性層として通常のウレタンフォームに代わり、低反発弾性材を用いることが実用化されている。低反発弾性材は荷重を加えると緩やかに圧縮変形し、荷重を除去すると同じく緩やかに復元するという特性を備えている。そのため、そのような特性によって利用者の身体を部分的に圧迫することなく支えることができるという利点を有する。
【発明の開示】
【発明が解決しようとする課題】
【０００６】
マットレス装置の弾性層に低反発弾性材を用いた場合、低反発弾性材は利用者の身体を部分的に圧迫することがないという利点を有する。しかしながら、低反発弾性材は室温が低下する冬季などは硬くなるということがある。
【０００７】
マットレス装置においては、上記低反発弾性材は平面形状がスプリングユニットとほぼ同じ大きさの板状にして用いられている。そのため、その低反発弾性材が冬季に硬くなると、利用者に与える感触が低下するということがある。
【０００８】
硬くなった低反発弾性材は、マットレス装置の上面に仰臥した利用者の体温によって暖められて徐々に柔らかくなる。その場合、利用者の体温は、臀部や頭部などのように低反発弾性材を大きく圧縮した部分から伝達されることになる。
【０００９】
しかしながら、上記低反発弾性材がスプリングユニットの平面形状とほぼ同じ大きさの１枚の板状であると、上記低反発弾性材に部分的に伝達される利用者の体温が全体に拡散し易いから、低反発弾性体が柔らかくなるまでに時間が長く掛かり、その間、利用者に与える感触が改善されないということがあった。
【００１０】
この発明は、弾性層に低反発弾性材を用いた場合、冬季などの温度が低いときでも、利用者の体温によって比較的速く感触を改善できるようにしたマットレス装置を提供することにある。
【課題を解決するための手段】
【００１１】
この発明は、第１の面と第２の面を有するスプリングユニットと、このスプリングユニットの第１の面と第２の面とにそれぞれ設けられる弾性層と、上記スプリングユニットと各弾性層とを被覆した外装地とを具備し、
少なくとも一方の弾性層は、板状の低反発弾性材によって形成されるとともに、上記スプリングユニットの一方の面に所定間隔で配置された複数のブロックからなることを特徴とするマットレス装置にある。
【００１２】
少なくとも一方の弾性層は、上記ブロックを保持シートに接着固定して形成されていることが好ましい。
【００１３】
上記ブロックの平面形状は矩形状で、これらブロックは所定の間隔を介して行列状に配置されていることが好ましい。
【００１４】
この発明は、第１の面と第２の面を有するスプリングユニットと、このスプリングユニットの第１の面と第２の面とにそれぞれ設けられる弾性層と、上記スプリングユニットと各弾性層とを被覆した外装地とを具備し、
少なくとも一方の弾性層は、低反発弾性材によって上記スプリングユニットの面とほぼ同じ大きさに形成された板状体であって、この板状体の一方の面には、この板状体の厚さよりも浅い溝によって複数のブロックが形成されていることを特徴とするマットレス装置にある。
【００１５】
この発明は、第１の面と第２の面を有するスプリングユニットと、このスプリングユニットの第１の面と第２の面とにそれぞれ設けられる弾性層と、上記スプリングユニットと各弾性層とを被覆した外装地とを具備し、
少なくとも一方の弾性層は、一方の板面に格子状の通気溝によって複数の凸部が行列状に形成された第１の保持シートと、この第１の保持シートの一方の板面に重ねられて上記通気溝を覆う第２の保持シートと、この第２の保持シートの上記凸部と対応する位置にそれぞれ設けられた低反発弾性材によって形成されたブロックとによって構成されていることを特徴とするマットレス装置にある。
【００１６】
この発明は、第１の面と第２の面を有するスプリングユニットと、このスプリングユニットの第１の面と第２の面とにそれぞれ設けられる弾性層と、上記スプリングユニットと各弾性層とを被覆した外装地とを具備し、
少なくとも一方の弾性層は、一方の板面に格子状の通気溝によって複数の凸部が行列状に形成された第１の保持シートと、この第１の保持シートの一方の板面に重ねられて上記通気溝を覆う第２の保持シートと、この第２の保持シートにそれぞれ一端面を接着固定して設けられた低反発弾性材からなる複数のブロックとによって構成されていることを特徴とするマットレス装置にある。
【００１７】
この発明は、第１の面と第２の面を有するスプリングユニットと、このスプリングユニットの第１の面と第２の面とにそれぞれ設けられる弾性層と、上記スプリングユニットと上記弾性層との外周面に設けられた側部弾性体と、上記スプリングユニット、各弾性層及び側部弾性体の外面を被覆した外装地とを具備し、
少なくとも一方の弾性層は、一方の板面に格子状の通気溝によって複数の凸部が行列状に形成された第１の保持シートと、この第１の保持シートの一方の板面に重ねられて上記通気溝を覆う第２の保持シートと、上記側部弾性体の上端面に一方の板面の周辺部を重ねるとともにその一方の板面にそれぞれ一端面を接着固定して設けられた低反発弾性材からなる複数のブロックとによって構成されていることを特徴とするマットレス装置にある。
【００１８】
この発明は、第１の面と第２の面を有するスプリングユニットと、このスプリングユニットの第１の面と第２の面とにそれぞれ設けられる弾性層と、上記スプリングユニットと上記弾性層との外周面に設けられた側部弾性体と、上記スプリングユニット、各弾性層及び側部弾性体の外面を被覆した外装地とを具備し、
少なくとも一方の弾性層は、一方の板面に格子状の通気溝によって複数の凸部が行列状に形成された下部保持シートと、上記側部弾性体の上端面に一方の板面の周辺部を重ね上記下部保持シートに対して所定間隔で離間して保持された上部保持シートと、この上部保持シートの一方の板面にそれぞれ一端面を接着し他端面を上記下部保持シートの一方の板面に対して離間させて設けられた低反発弾性材からなる複数のブロックとによって構成されていることを特徴とするマットレス装置にある。
【００１９】
この発明は、第１の面と第２の面を有するスプリングユニットと、このスプリングユニットの第１の面と第２の面とにそれぞれ設けられる弾性層と、上記スプリングユニットと上記弾性層との外周面に設けられた側部弾性体と、上記スプリングユニット、各弾性層及び側部弾性体の外面を被覆した外装地とを具備し、
少なくとも一方の弾性層は、上記スプリングユニットに重合される下部保持シートと、低反発弾性材によって形成され上記下部保持シートに一端面を接着して行列状に配置された複数のブロックと、上記側部弾性体の上端面に一方の板面の周辺部を重ねるとともにその一方の面に格子状の連通溝が形成された上部保持シートとによって構成されていることを特徴とするマットレス装置にある。
【００２０】
この発明は、第１の面と第２の面を有するスプリングユニットと、このスプリングユニットの第１の面と第２の面とにそれぞれ設けられる弾性層と、上記スプリングユニットと各弾性層とを被覆した外装地とを具備し、
少なくとも一方の弾性層は、一方の板面を上記スプリングユニットに重ね他方の板面に通気溝が形成された保持シートと、この保持シートの他方の面の上記通気溝を覆う位置に一方の端面を接着して設けられた低反発弾性材からなる複数のブロックとによって構成されていることを特徴とするマットレス装置にある。
【００２１】
この発明は、第１の面と第２の面を有するスプリングユニットと、このスプリングユニットの第１の面と第２の面とにそれぞれ設けられる弾性層と、上記スプリングユニットと各弾性層とを被覆した外装地とを具備し、
少なくとも一方の弾性層は、一方の板面を上記スプリングユニットの一方の面に対向させて重合され、他方の板面に低反発弾性材によって形成された複数のブロックが下端面を接着固定して所定間隔で配置されるとともに、厚さ方向に貫通する複数の通気孔が隣り合う上記ブロックの間の部分に形成された保持シートを有することを特徴とするマットレス装置にある。
【発明の効果】
【００２２】
この発明によれば、弾性層に用いられた低反発弾性材を複数のブロックにしたから、ブロックに伝わる利用者の体温が他のブロックに拡散し難い。そのため、利用者の身体を受けた部分のブロックが体温によって比較的短時間で温度上昇し、利用者に与える感触を改善することができる。
【発明を実施するための最良の形態】
【００２３】
以下、図面を参照しながらこの発明の実施の形態を説明する。
【００２４】
図１乃至図４はこの発明の第１の実施の形態を示す。図３はこの発明のマットレス装置Ｍを拡大した縦断面図であって、このマットレス装置Ｍはスプリングユニット１を備えている。このスプリングユニット１は図４（ａ）、（ｂ）に示すように複数の連続ばね体２をマットレス装置の幅方向に沿って並設し、これら連続ばね体２の上端面と下端面とを並設方向と交差する方向に設けられたヘリカル線３によって連結して形成されている。
【００２５】
すなわち、上記連続ばね体２は、図４（ｂ）に示すように１本の線材によって軸線をほぼ平行にした複数のばね部４を形成するとともに、隣り合うばね部の上端を平面形状がほぼコ字状の上部連結部５、下端を下部連結部６で連結することで形成されている。
【００２６】
上記スプリングユニット１の上面と下面との周縁部にはそれぞれ枠線７がクリップ８（図３に示す）によって連結されている。さらに、スプリングユニット１の上面と下面とにはたとえばエステルフェルトなどの保護シート９がそれぞれ積層されている。この保護シート９の周縁部は上記クリップ８によって上記枠線７とともに上記スプリングユニット１に連結固定されている。
【００２７】
上記スプリングユニット１の上面には上部弾性層１１が設けられ、下面にはウレタンフォームなどの弾性材によって形成された下部弾性層１２が設けられている。
【００２８】
上記上部弾性層１１は板状のウレタンフォームからなる保持シート１３を有する。この保持シート１３の上面には、図１に示すように低反発ウレタンフォームなどの低反発弾性材によって平面形状がほぼ正方形に形成された複数のブロック１４が所定の間隔１５を介して上記保持シート１３に下端面を接着固定して行列状に配置されている。
【００２９】
上記保持シート１３の４つの側辺には、この保持シート１３の厚さ寸法とブロック１４の高さ寸法との和にほぼ等しい高さを有する角柱状の４つの外周部材１６が接着固定されている。この外周部材１６はウレタンフォームなどの弾性材によって形成されている。
【００３０】
上記スプリングユニット１の外周面には側部弾性体１７が全長にわたって設けられている。この側部弾性体１７は上記通常のウレタンフォームよりも硬い弾性材、たとえばチップウレタンなどによって形成されている。この側部弾性体１７は内面を上記下部弾性層１２と、上記上部弾性層１１の外周部材１６とに接着して設けられている。つまり、側部弾性体７の内面を上下部弾性層１１、１２に接着固定することで、スプリングユニット１及びこのスプリングユニット１に積層された上下部弾性層１１、１２が一体化されている。
【００３１】
上記スプリングユニット１と上下部弾性層１１、１２からなる積層体は袋状に形成された外装地２１によって外面全体が被覆されている。この外装地２１は積層体の下面を被覆した下鏡地２１ａ、上面を被覆した上鏡地２１ｂ及び外周面を被覆したまち地２１ｃからなり、この実施の形態では下鏡地２１ａとまち地２１ｃとが一体に形成され、上鏡地２１ｂは周縁部が上記まち地２１ｃの上端に図示しないファスナによって着脱可能に連結されている。
【００３２】
上記構成のマットレス装置Ｍによれば、上部弾性層１１が設けられた面を上にし、その上面に利用者が仰臥して利用すると、上部弾性層１１を形成する複数のブロック１４が利用者の荷重を受けることになる。
【００３３】
上記ブロック１４は低反発弾性材によって形成されている。そのため、荷重を受けたブロック１４はその荷重に応じて緩やかに圧縮変形され、大きな反発力を生じることがないから、利用者の身体を圧迫するのを防止できる。
【００３４】
たとえば、冬季などで室内の温度が低い場合には、上記ブロック１４が硬くなり、利用者に与える感触が低下することになる。しかしながら、上部弾性層１１は間隔１５を介して複数のブロック１４に分割されている。
【００３５】
そのため、利用者の荷重を受けたブロック１４に利用者の体温が伝わると、その熱は他のブロック１４に逃げ難いから、利用者の荷重を受けたブロック１４が比較的速い時間で温度上昇する。したがって、冬季などのように温度が低く、ブロック１４が硬くなり易い時期であっても、上記ブロック１４が利用者に与える感触を比較的短時間で改善することができる。
【００３６】
しかも、上部弾性層１１が複数のブロック１４に分割されていることで、１枚の弾性材で形成した場合に比べて荷重に対して変形し易いから、そのことによっても、利用者に与える感触を改善することができる。
【００３７】
上記マットレス装置Ｍが二人で就寝することができるダブルサイズの場合、上部弾性層１１を複数のブロック１４に分割したことで、一方の利用者が寝返りを打っても、その振動が他方の利用者に伝わり難いため、寝心地が向上するということがある。
【００３８】
上部弾性層１１を形成する複数のブロック１４は間隔１５を介して配置されている。そのため、上記間隔１５によって通気性を持たせることができるため、夏季などの温度の高い時期であっても、むれ難いということがある。
【００３９】
上部弾性層１１を形成する複数のブロック１４のうち、利用者の臀部に対応する部分のブロック１４は、他の部分のブロック１４よりも大きな荷重が繰り返して加わるから、その部分のブロック１４は早期にへたるということがある。その場合、外装地２１の上鏡地２１ｂを開き、へたりが生じたブロッ１４だけを簡単に交換することができる。
【００４０】
図５乃至図１２はこの発明の第２乃至第８の実施の形態を示す。  
図５はこの発明の第２の実施の形態を示す。この実施の形態における上部弾性層１１Ａは、低反発弾性材によって所定の厚さの板状に形成された板状体２３からなる。この板状体２３には、その厚さ寸法よりも浅い深さ寸法で、板状体２３の上面に開放する溝２４が格子状に形成されている。それによって、板状体２３には複数のブロック２３ａが行列状に隔別形成されている。つまり、この実施の形態では、複数のブロック２３ａが分断されずに形成されている。
【００４１】
このような構成であっても、上部弾性層１１Ａの板状体２３に複数のブロック２３ａが形成されているため、上記一実施の形態と同様、冬季などの室温が低い時期であっても、荷重を受けたブロック２３ａが比較的短時間で温度上昇し、利用者に与える感触を改善することができる。
【００４２】
図６と図７はこの発明の第３の実施の形態を示す。この実施の形態における、スプリングユニット１の上面に載置される上部弾性層１１Ｂは、ウレタンフォームなどの弾性材からなる第１の保持シート３１を有する。この第１の保持シート３１の上面には通気溝３２が格子状に形成されている。それによって、第１の保持シート３１の上面には平面形状が矩形状の凸部３３が行列状に形成されている。
【００４３】
上記第１の保持シート３１の上面にはウレタンプレスパームなどの通気性を有するとともに第１の保持シート３１よりは硬質の弾性材からなる第２の保持シート３４が重合されている。この第２の保持シート３４は上記第１の保持シート３１に接着してもよいが、しなくて差し支えない。
【００４４】
上記第２の保持シート３４の上面には、周辺部を除く部分の上記凸部３３に対応する位置に第１のブロック１４ａが下面を接着して設けられ、周辺部には同じく上記凸部３３に対応する位置に第２のブロック１４ｂが下面を接着して設けられている。
【００４５】
上記第１のブロック１４ａは上記第１の実施の形態と同様、低反発ウレタンフォームなどの低反発弾性材によって形成されており、上記第２のブロック１４ｂは第１のブロック１４ａよりも硬い低反発弾性材によって形成されている。
【００４６】
このような構成のマットレス装置によれば、第１の実施の形態と同様の作用効果を奏するばかりか、第１、第２のブロック１４ａ，１４ｂは第１の保持シート３１の上面に第２の保持シート３４を介して設けられている。そのため、第１、第２のブロック１４ａ，１４ｂが利用者の荷重によって圧縮変形しても、これらブロックが第１の保持シート３１に形成された通気溝３４を塞ぐことがないから、この通気溝３４によって上部弾性層１１Ｂの通気性が良好に確保される。
【００４７】
第２の保持シート３４に設けられるブロックのうち、周辺部に設けられる第２のブロック１４ｂを、周辺部以外に設けられる第１のブロック１４ａに比べて硬くした。そのため、上記第２のブロック１４ｂによってマットレス装置の周辺部を硬くすることができるから、実効使用面積の増大や周辺部に腰掛けたときの安定性の向上などを図ることができる。
【００４８】
図８はこの発明の第４の実施の形態を示す。この実施の形態の上部弾性層１１Ｃは、通気溝３２によって凸部３３が形成された第１の保持シート３１の上面に第２の保持シート３４が設けられている点は第３の実施の形態と同じであるが、第１、第２のブロック１４ａ，１４ｂは上記第２の保持シート３４に接着固定されておらず、下面周辺部を側部弾性体１７の上端面に重ねた第３の保持シート３６の下面の、上記凸部３３と対応する位置に上端面を接着固定して設けられている。第３の保持シート３６に接着固定された第１、第２のブロック１４ａ，１４ｂの下面は上記第２の保持シート３４の上面に接触している。
【００４９】
このような構成のマットレス装置によれば、第３の実施の形態と同様、第１の保持シート３１の通気溝３２によって第１、第２のブロック１４ａ，１４ｂが圧縮変形しても、上部弾性層１１Ｃの通気性を確保することができるばかりか、第３の保持シート３６とともに第１、第２のブロック１４ａ，１４ｂを取外すことができるから、第３の保持シート３６や第１、第２のブロック１４ａ，１４ｂにへたりが生じた場合などの修理交換を容易に行なうことができる。
【００５０】
図９はこの発明の第５の実施の形態を示す。この第５の実施の形態の上部弾性層１１Ｄは第４の実施の形態の変形例で、第４の実施の形態に示された第２の保持シート３４を除去して下部保持シートとしての第１の保持シート３１の上面と、上部保持シートとしての第３の保持シート３６の下面に上端面を接着固定した第１、第２のブロック１４ａ，１４ｂの下端面との間に空間部３８を形成するようにした。
【００５１】
このような構成のマットレス装置によれば、上面に荷重が加わると、第３の保持シート３６が撓んで第１、第２のブロック１４ａ，１４ｂが圧縮変形するが、第１の保持シート３１に形成された通気溝３２が閉塞されることがないから、上部弾性層１１Ｄの通気性を確保することができる。
【００５２】
マットレス装置の上面に荷重が加わっていないときには、第１の保持シート３１と各ブロック１４ａ，１４ｂの下面との間に空間部３８が形成されて上記第１の保持シート３１の上面が開放される。それによって、第１の保持シート３１や各ブロック１４ａ，１４ｂから湿気が逃げ易くなるから、上部弾性層１１Ｄに湿気がこもり難いということがある。
【００５３】
図１０はこの発明の第６の実施の形態を示す。この実施の形態の上部弾性層１１Ｅは、下部保持シートとしての第１の保持シート３１の上面には通気溝３２が形成されていない。この第１の保持シート３１の上面には、第１のブロック１４ａと第２のブロック１４Ｂとが下端面を接着して行列状に設けられている。
【００５４】
側部弾性体１７の上端面には上部保持シートとしての第３の保持シート３６が下面の周辺部を重合して設けられている。第３の保持シート３６の周辺部は側部弾性体１７の上端面に接着しても、接着しなくてもよいが、この実施の形態では接着されていない。
【００５５】
上記第３の保持シート３６の下面と第１、第２のブロック１４ａ，１４ｂの上端面との間には空間部３８ａが形成されている。さらに、上記第３の保持シート３６の下面には、上記第１、第２のブロック１４ａ，１４ｂの行列状の配置に対応して通気溝３２ａが格子状に形成されている。それによって、第３の保持シート３６の下面には、上記第１、第２のブロック１４ａ，１４ｂの上端面に対向する複数の凸部３３ａが行列状に形成されている。
【００５６】
このような構成のマットレス装置の上部弾性層１１Ｅによれば、図９に示す第５の実施の形態と同様、使用時には空間部３２ａが潰されるとともに、第１、第２のブロック１４ａ，１４ｂが圧縮変形しても、第３の保持シート３６の下面に形成された通気溝３２によって通気性が確保されるから、湿気が内部にこもるのを防止することができる。
【００５７】
不使用時には第３の保持シート３６が復元して空間部３２ａが確保されるから、第１、第２のブロック１４ａ，１４ｂや第３の保持シート３６に溜まる湿気を除去し易くなる。さらに、第３の保持シート３６を除去して上部弾性層１１Ｅの第１、第２のブロック１４ａ，１４ｂを開放することができるから、これらブロック１４ａ，１４ｂの交換などの保守点検を容易に行なえるということもある。
【００５８】
図１１はこの発明の第７の実施の形態の上部弾性層１１Ｆを示す。この実施の形態の上部弾性層１１Ｆは、スプリングユニット１の一方の面に重合される第１の保持シート３１の上面には通気溝３２が格子状に形成され、この通気溝３２によって凸部３３が行列状に形成されている。
【００５９】
上記第１の保持シート３１の上面には第１のブロック１４ａと第２のブロック１４ｂとが下端面を接着して配置されている。ここで、各ブロック１４ａ，１４ｂは第１の保持シート３１の凸部３３と非対向の位置、すなわち下端面が通気溝３２を塞ぐ位置に配置されている。
【００６０】
このような構成の上部弾性層１１Ｆであっても、各ブロック１４ａ，１４ｂが荷重によって圧縮変形しても、これらブロックの下端面が第１の保持シート３１の状面に接着固定されていることで、ブロックが通気溝３２内に入り込むことがほとんどないから、通気溝３２による通気性を確保することができる。
【００６１】
図１２（ａ），（ｂ）はこの発明の第８の実施の形態の上部弾性層１１Ｇを示す。この実施の形態の上部弾性層１１Ｇはスプリングユニット１の一方の面に重合される第１の保持シート３１の上面に、第１のブロック１４ａと第２のブロック１４ｂが所定間隔となるよう下端面を接着固定して行列状に配置されている。さらに、上記第１の保持シ−ト３１には、隣り合うブロック間の部分に、厚さ方向に貫通する通気孔４１は穿設されている。
【００６２】
このような構成の上部弾性層１１Ｇによれば、荷重を受けて各ブロック１４ａ，１４ｂが圧縮変形しても、そのブロック１４ａ，１４ｂによって第１の保持シート３１に形成された通気孔４１は閉塞され難いから、その通気孔４１によって上部弾性層１１Ｇの通気性を良好に確保することができる。
【００６３】
なお、上記第２乃至第８の実施の形態において、第１の実施の形態と同一の部分には同一の記号を付して説明を省略する。また、第７、第８の実施の形態では上部弾性層だけを図示しているが、スプリングユニット、側部弾性体、外装地を有することは第１の実施の形態と同じである。
【００６４】
また、上記各実施の形態では上部弾性層について説明し、下部弾性層は１枚の板状として説明したが、下部弾性層を上部弾性層と同じ構成としても差し支えない。また、各実施の形態において、利用者の臀部などの重たい部分に対応位置するブロックを他の部分のブロックよりも硬い低反発弾性材で形成するようにしてもよい。
【図面の簡単な説明】
【００６５】
【図１】この発明の一実施の形態に係るマットレス装置の外装地の一部を破断した平面図。
【図２】マットレス装置を長手方向に沿って断面した図。
【図３】マットレス装置の一部分の拡大断面図。
【図４】（ａ）はスプリングユニットの一部分の平面図、（ｂ）は同じく斜視図。
【図５】この発明の第２の実施の形態を示すマットレス装置の一部分の拡大断面図。
【図６】この発明の第３の実施の形態を示すマットレス装置の一部分の拡大断面図。
【図７】図６に示すマットレス装置の一部断面した平面図。
【図８】この発明の第４の実施の形態を示すマットレス装置の一部分の拡大断面図。
【図９】この発明の第５の実施の形態を示すマットレス装置の一部分の拡大断面図。
【図１０】この発明の第６の実施の形態を示すマットレス装置の一部分の拡大断面図。
【図１１】この発明の第７の実施の形態を示す上部弾性層の断面図。
【図１２】（ａ）はこの発明の第８の実施の形態を示す上部弾性層の断面図、（ｂ）は平面図。
【符号の説明】
【００６６】
１…スプリングユニット、１１…上部弾性層、１２…下部弾性層、１４…ブロック、２１…外装地。
【図１】
2004344640.tif 000003
【図２】
2004344640.tif 000004
【図３】
2004344640.tif 000005
【図４】
2004344640.tif 000006
【図５】
2004344640.tif 000007
【図６】
2004344640.tif 000008
【図７】
2004344640.tif 000009
【図８】
2004344640.tif 000010
【図９】
2004344640.tif 000011
【図１０】
2004344640.tif 000012
【図１１】
2004344640.tif 000013
【図１２】
2004344640.tif 000014